(57)【要約】【課題】メンテナンスが容易となる給湯装置を提供する。【解決手段】温水暖房装置は、開口した一面を有する筐体１０と、開口ＯＰを覆う前面蓋と、筐体１０内に配置された熱交換ユニット４０と、筐体１０内に配置された被制御ユニットと、筐体１０内に配置され、かつ熱交換ユニット４０に接続された配管５ａとを備えている。配管５ａは、熱交換ユニット４０に固定された第１管５ａ１と、第１管５ａ１および被制御ユニットにそれぞれ着脱可能に接続された第２管５ａ２とを含む。第２管は、開口ＯＰから筐体１０内を見たときに、被制御ユニットと重なるように配置されている。【選択図】図３
2019143860.tif 000002
【特許請求の範囲】
【請求項１】
開口した一面を有する筐体と、
前記開口を覆う前面蓋と、
前記筐体内に配置された熱交換ユニットと、
前記筐体内に配置された被制御ユニットと、
前記筐体内に配置され、かつ前記熱交換ユニットに接続された配管とを備え、
前記配管は、前記熱交換ユニットに固定された第１管と、前記第１管および前記被制御ユニットにそれぞれ着脱可能に接続された第２管とを含み、
前記第２管は、前記開口から前記筐体内を見たときに、前記被制御ユニットと重なるように配置されている、給湯装置。
【請求項２】
前記被制御ユニットは、前記配管を流れる水の量を調整する水量調整装置である、請求項１に記載の給湯装置。
【請求項３】
第１のクイックファスナと第２のクイックファスナとをさらに備え、
前記第１のクイックファスナは前記第２管と前記第１管とを互いに着脱可能に接続し、
前記第２のクイックファスナは前記第２管と前記被制御ユニットとを着脱可能に接続している、請求項１または２に記載の給湯装置。
【請求項４】
前記第２管は、前記筐体内から前記開口に向けて前記被制御ユニットから取り外し可能に構成されている、請求項１から３のいずれか１項に記載の給湯装置。
【請求項５】
開口した一面を有する筐体と、
前記開口を覆う前面蓋と、
前記筐体内に配置された熱交換ユニットと、
前記筐体内に配置された被制御ユニットと、
前記筐体内に配置され、かつ前記熱交換ユニットに接続された配管とを備え、
前記配管は、前記開口から前記筐体内を見たときに、前記熱交換ユニットと重なるように配置されておりかつ前記被制御ユニットと重ならないように配置されている、給湯装置。
【請求項６】
前記被制御ユニットは、前記熱交換ユニットに送風するファンである、請求項５に記載の給湯装置。
【発明の詳細な説明】
【技術分野】
【０００１】
本発明は、給湯装置に関するものである。
【背景技術】
【０００２】
従来、給湯装置では、部品の交換などのメンテナンスが行われる。また、例えば、給湯装置の一例として、幅狭タイプ（スリムタイプ）の給湯装置が特開２０１４−７０８０１号公報（特許文献１）に記載されている。この公報に記載された給湯装置では、器具ケースの前方開口を通じて器具ケース内部に燃焼用ブロック組み立て体が挿入された後に前方開口がフロントカバーで閉じられる。
【先行技術文献】
【特許文献】
【０００３】
【特許文献１】特開２０１４−７０８０１号公報
【発明の概要】
【発明が解決しようとする課題】
【０００４】
従来の給湯装置では、メンテナンス時に熱交換ユニットに接続された配管が邪魔となる場合があるため、メンテナンスが困難である。また、上記公報に記載された幅狭タイプの給湯装置では、給湯器の幅が狭いため、熱交換ユニットに接続された配管は給湯装置の奥行方向に配置される。したがって、メンテナンス時に当該配管が特に邪魔になり易い。そのため、メンテナンスが特に困難である。
【０００５】
本発明は上記課題に鑑みてなされたものであり、その目的は、メンテナンスが容易となる給湯装置を提供することである。
【課題を解決するための手段】
【０００６】
本発明の一の給湯装置は、開口した一面を有する筐体と、開口を覆う前面蓋と、筐体内に配置された熱交換ユニットと、筐体内に配置された被制御ユニットと、筐体内に配置され、かつ熱交換ユニットに接続された配管とを備えている。配管は、熱交換ユニットに固定された第１管と、第１管および被制御ユニットにそれぞれ着脱可能に接続された第２管とを含む。第２管は、開口から筐体内を見たときに、被制御ユニットと重なるように配置されている。
【０００７】
本発明の一の給湯装置によれば、第２管は、第１管および被制御ユニットにそれぞれ着脱可能に接続されており、開口から筐体内を見たときに、被制御ユニットと重なるように配置されている。このため、被制御ユニットの交換などのメンテナンス時に第１管および被制御ユニットから第２管が取り外されることにより、第２管はメンテナンスの邪魔とならない。したがって、被制御ユニットの交換などのメンテナンスが容易となる。
【０００８】
上記の本発明の一の給湯装置において、被制御ユニットは、配管を流れる水の量を調整する水量調整装置である。このため、水量調整装置のメンテナンスが容易となる。
【０００９】
上記の本発明の一の給湯装置は、第１のクイックファスナと第２のクイックファスナとをさらに備えている。第１のクイックファスナは第２管と第１管とを互いに着脱可能に接続し、第２のクイックファスナは第２管と被制御ユニットとを着脱可能に接続している。このため、第１のクイックファスナによって第２管と第１管との着脱が容易となり、第２のクイックファスナによって第２管と被制御ユニットとの着脱が容易となる。
【００１０】
上記の本発明の一の給湯装置において、第２管は、筐体内から開口に向けて被制御ユニットから取り外し可能に構成されている。このため、第２管を被制御ユニットから取り外すことが容易となる。
【００１１】
本発明の他の給湯装置は、開口した一面を有する筐体と、開口を覆う前面蓋と、筐体内に配置された熱交換ユニットと、筐体内に配置された被制御ユニットと、筐体内に配置され、かつ熱交換ユニットに接続された配管とを備えている。配管は、開口から筐体内を見たときに、熱交換ユニットと重なるように配置されておりかつ被制御ユニットと重ならないように配置されている。
【００１２】
上記の本発明の他の給湯器によれば、配管は、開口から筐体内を見たときに、被制御ユニットと重ならないように配置されている。このため、被制御ユニットの交換などのメンテナンス時に、配管はメンテナンスの邪魔とならない。したがって、被制御ユニットの交換などのメンテナンスが容易となる。
【００１３】
上記の本発明の他の給湯装置において、被制御ユニットは、熱交換ユニットに送風するファンである。このため、ファンのメンテナンスが容易となる。
【発明の効果】
【００１４】
以上説明したように、本発明によれば、メンテナンスが容易となる給湯装置を提供することができる。
【図面の簡単な説明】
【００１５】
【図１】本発明の実施の形態１、２に係る給湯装置の構成を模式的に示す図である。
【図２】本発明の実施の形態１、２に係る給湯装置の構成を概略的に示す斜視図である。
【図３】本発明の実施の形態１、２に係る給湯装置の筐体、熱交換ユニット、被制御ユニットおよび配管の構成を概略的に示す正面図である。
【図４】本発明の実施の形態１、２に係る給湯装置の熱交換ユニットおよび給湯回路の構成を概略的に示す斜視図である。
【図５】図３のＶ部の拡大図である。
【図６】本発明の実施の形態１、２に係る給湯装置のクイックファスナが第１管と第２管とを接続している状態を示す斜視図である。
【図７】本発明の実施の形態１に係る給湯装置の第２管が取り外された状態を示す正面図である。
【発明を実施するための形態】
【００１６】
以下、本発明の実施の形態について図を参照して説明する。本発明の実施の形態に係る給湯装置の一例として温水暖房装置について説明する。
【００１７】
（実施の形態１）
図１を参照して、本発明の実施の形態１に係る温水暖房装置の構成について説明する。図１に示されるように、本実施の形態に係る温水暖房装置は、シスターン１と、補水回路２と、循環回路３と、燃焼ユニット４と、給湯回路５と、配管６（オーバーフロー配管）、ファン７と、水量調整装置８とを有している。本実施の形態では、被制御ユニットは水量調整装置８である。
【００１８】
補水回路２は、配管２ａを有している。循環回路３は、配管３ａ、配管３ｂ、配管３ｃ、配管３ｄ、配管３ｅおよび配管３ｆと、ポンプ３ｇとを有している。燃焼ユニット４は、一次熱交換器４ａと、二次熱交換器４ｂと、一次熱交換器４ｃと、二次熱交換器４ｄと、バーナ４ｅとを有している。給湯回路５は、配管５ａと、配管５ｂと、配管５ｃと、配管５ｄとを有している。
【００１９】
配管２ａの一方端は、シスターン１に接続されている。配管２ａの他方端は、上水道に接続されている。配管６は、一方端においてシスターン１に接続されており、他方端において温水暖房装置の外部に接続されている。
【００２０】
配管３ａの一方端は、シスターン１に接続されている。配管３ａの他方端は、配管３ｂの一方端と配管３ｃの一方端とが接続されている部分に接続されている。配管３ｂの他方端は、低温暖房端末６ａに接続されている。配管３ｃの他方端は、一次熱交換器４ａに接続されている。配管３ｄの一方端は、一次熱交換器４ａに接続されている。配管３ｄの他方端は、高温暖房端末６ｂに接続されている。
【００２１】
配管３ｅは、一方端において、分岐している。一方端において分岐している配管３ｅの一方は、低温暖房端末６ａに接続されている。一方端において分岐している配管３ｅの他方は、高温暖房端末６ｂに接続されている。配管３ｅの他方端は、二次熱交換器４ｂに接続されている。配管３ｆの一方端は、二次熱交換器４ｂに接続されている。配管３ｆの他方端は、シスターン１に接続されている。ポンプ３ｇは、配管３ａの経路上に配置されている。ポンプ３ｇは、シスターン１に貯留されている水を、循環回路３に沿って循環させる（図１中の矢印の方向を参照）。
【００２２】
配管５ａの一方端は、上水道に接続されている。配管５ａの他方端は、二次熱交換器４ｄに接続されている。二次熱交換器４ｄは、一次熱交換器４ｃに配管５ｄを介して接続されている。配管５ｂの一方端は、二次熱交換器４ｄに接続されている。配管５ｂの他方端は、カラン等に接続されている。配管５ｃは配管５ａと配管５ｂとに接続されている。
【００２３】
バーナ４ｅは燃焼ガスを発生させる。バーナ４ｅは、一次熱交換器４ａおよび一次熱交換器４ｃの近傍に配置されている。一次熱交換器４ａおよび一次熱交換器４ｃは、バーナ４ｅとの間で熱交換を行う。二次熱交換器４ｂおよび二次熱交換器４ｄは、一次熱交換器４ａおよび一次熱交換器４ｃと熱交換を行った後のバーナ４ｅの余熱との間で熱交換を行う。一次熱交換器４ａ、二次熱交換器４ｂ、一次熱交換器４ｃおよび二次熱交換器４ｄは、例えば、フィンアンドチューブ型の熱交換器である。本実施の形態では、バーナ４ｅは燃焼ユニット４の下方に配置されている。つまり、バーナ４ｅは正燃方式である。
【００２４】
ファン７は、燃料と空気とが混合された混合ガスをバーナ４ｅに供給する。本実施の形態では、図１中白抜き矢印で示されるように、ファン７はバーナ４ｅに対して上方に向けて混合ガスを供給する。
【００２５】
水量調整装置８は、配管を流れる水の量を調整する。水量調整装置８は、配管５ｃを通過する流量を調整するバイパス流量調整弁８ａと、出湯流量を調整する水流量調整弁８ｂとを含んでいる。
【００２６】
次に、本実施の形態に係る温水暖房装置の動作について説明する。
まず、本実施の形態に係る温水暖房装置による暖房動作を説明する。上水道からは、配管２ａを介して、シスターン１に水が供給される。シスターン１に貯留されている水の量が過剰になった場合は、シスターン１に貯留されている水は、配管６を介して外部に排出される。
【００２７】
シスターン１に貯留されている水は、配管３ａおよび配管３ｃを介して、一次熱交換器４ａに供給される。一次熱交換器４ａに供給された水は、昇温される。一次熱交換器４ａにおいて昇温された水は、配管３ｄを介して、高温暖房端末６ｂに供給される。
【００２８】
高温暖房端末６ｂは、配管３ｄを介して供給された水により、暖房動作を行う。高温暖房端末６ｂにおいて暖房動作を行った水は、配管３ｅを介して、二次熱交換器４ｂに供給される。二次熱交換器４ｂに供給された水は、昇温される。二次熱交換器４ｂにおいて昇温された水は、配管３ｆを介してシスターン１に戻される。
【００２９】
シスターン１に貯留されている水は、配管３ａおよび配管３ｂを介して、低温暖房端末６ａに供給される。配管３ａおよび配管３ｂを介して供給された水により、低温暖房端末６ａは、暖房動作を行う。低温暖房端末６ａにおいて暖房動作を行った水は、配管３ｅを介して二次熱交換器４ｂに供給される。二次熱交換器４ｂに供給された水は、昇温される。二次熱交換器４ｂにおいて昇温された水は、配管３ｆを介して、再びシスターン１に戻される。
【００３０】
続いて、実施形態に係る温水暖房装置による給湯動作を説明する。上水道からは、配管５ａを介して、一次熱交換器４ｃおよび二次熱交換器４ｄに水が供給される。一次熱交換器４ｃおよび二次熱交換器４ｄに供給された水は、昇温される。一次熱交換器４ｃおよび二次熱交換器４ｄにおいて昇温された水は、配管５ｂを介して、カラン等に供給される。
【００３１】
次に、図２〜図７を参照して本実施の形態に係る温水暖房装置の各構成要素の構成について説明する。図２は、本実施の形態に係る温水暖房装置の筐体１０に前面蓋１１が取り付けられた状態を示している。本実施の形態に係る温水暖房装置は、幅狭タイプの温水暖房装置である。
【００３２】
図２に示されるように、本実施の形態に係る温水暖房装置は、筐体１０と、前面蓋１１とを有している。筐体１０は、開口した一面を有している。前面蓋１１は、開口ＯＰ（図３参照）を覆っている。筐体１０は、天板１０ａと、底板１０ｂと、側板１０ｃと、側板１０ｄと、背板１０ｅとを有している。天板１０ａ、底板１０ｂ、側板１０ｃおよび側板１０ｄの各々の背板１０ｅと反対側の端部が開口ＯＰを構成している。天板１０ａは、底板１０ｂと対向している。側板１０ｃ、側板１０ｄおよび背板１０ｅは、天板１０ａおよび底板１０ｂと連なっている。側板１０ｃは、側板１０ｄと対向している。背板１０ｅは、前面蓋１１と対向している。
【００３３】
前面蓋１１は、筐体１０から取り外し可能に構成されている。筐体１０は、前面蓋１１を取り外すことによって、前面蓋１１側において、開口する。このことを別の観点からいえば、前面蓋１１を取り外すことにより、筐体１０の内部へのアクセスが可能となっている。前面蓋１１には、排気口１１ａが設けられている。
【００３４】
前面蓋１１から背板１０ｅに向かう方向は、第１方向ＤＲ１に沿っている。第２方向ＤＲ２は、第１方向ＤＲ１に直交している。第２方向ＤＲ２は、側板１０ｄから側板１０ｃに向かう方向に沿っている。第３方向ＤＲ３は、第１方向ＤＲ１および第２方向ＤＲ２の各々に直交している。第３方向ＤＲ３は、底板１０ｂから天板１０ａに向かう方向に沿っている。
【００３５】
筐体１０は、幅（奥行）Ｗ１と、幅Ｗ２とを有している。幅Ｗ１は、第１方向ＤＲ１における筐体１０の幅である。幅Ｗ２は、第２方向ＤＲ２における筐体１０の幅である。このことを別の観点からいえば、幅Ｗ１は、前面蓋１１と背板１０ｅとの間隔であり、幅Ｗ２は、側板１０ｃと側板１０ｄとの間隔である。幅Ｗ１は、幅Ｗ２よりも大きい。そのため、本実施の形態に係る温水暖房装置は、前面蓋１１が家の外壁と直交するように設置される（側板１０ｃおよび側板１０ｄが家の外壁と対向するように設置される）。
【００３６】
図３は、本実施の形態に係る温水暖房装置の筐体１０を開口ＯＰ側から示す図である。図３は、説明の便宜のため、各構成要素のうち燃焼ユニット４、給湯回路５、ファン７および水量調整装置８を示し、その他の構成要素を示していない。図４は、給湯回路５および熱交換ユニット４０を示している。
【００３７】
図３および図４に示されるように、燃焼ユニット４は、熱交換ユニット４０を有している。熱交換ユニット４０は、筐体１０内に配置されている。熱交換ユニット４０は、一次熱交換部４１と、二次熱交換部４２とを有している。一次熱交換部４１は、一次熱交換器４ａおよび一次熱交換器４ｃを有している。
【００３８】
図２および図４に示されるように、一次熱交換器４ａは背板１０ｅ側に配置されている。一次熱交換器４ｃは前面蓋１１側に配置されている。二次熱交換部４２は、二次熱交換器４ｂおよび二次熱交換器４ｄを有している。二次熱交換器４ｂは背板１０ｅ側に配置されている。二次熱交換器４ｄは前面蓋１１側に配置されている。
【００３９】
図３および図４に示されるように、バーナ４ｅは、筐体１０内に配置されている。一次熱交換部４１は、バーナ４ｅの上方に配置されている。二次熱交換部４２は、一次熱交換部４１の上方に配置されている。
【００４０】
ファン７は、筐体１０内に配置されている。ファン７は、バーナ４ｅの下方に配置されている。水量調整装置８は、筐体１０内に配置されている。水量調整装置８は、ファン７の下方に配置されている。
【００４１】
配管５ａ、配管５ｂ、配管５ｃおよび配管５ｄは、筐体１０内に配置されている。配管５ａ、配管５ｂおよび配管５ｃは、熱交換ユニット４０と水量調整装置８とに接続されている。配管５ａは、二次熱交換部４２の二次熱交換器４ｄとバイパス流量調整弁８ａとに接続されている。配管５ａは、第１管５ａ１と、第２管５ａ２とを有している。第１管５ａ１は、熱交換ユニット４０に固定されている。具体的には、第１管５ａ１は、二次熱交換部４２の二次熱交換器４ｄに固定されている。第２管５ａ２は、第１管５ａ１およびバイパス流量調整弁８ａにそれぞれ着脱可能に接続されている。
【００４２】
第２管５ａ２は、第１方向ＤＲ１に沿って開口ＯＰとバイパス流量調整弁８ａとの間に配置された部分を有している。第２管５ａ２は、開口ＯＰから筐体１０内を見たときに、バイパス流量調整弁８ａと重なるように配置されている。つまり、第２管５ａ２は、開口ＯＰから筐体１０内を見たときに、開口ＯＰとバイパス流量調整弁８ａとの間でバイパス流量調整弁８ａと重なるように配置されている。
【００４３】
配管５ｂは、一次熱交換部４１の一次熱交換器４ｃと水流量調整弁８ｂとに接続されている。配管５ｂは、第１管５ｂ１と、第２管５ｂ２とを有している。第１管５ｂ１は、熱交換ユニット４０に固定されている。具体的には、第１管５ｂ１は、一次熱交換部４１の一次熱交換器４ｃに固定されている。第２管５ｂ２は、第１管５ｂ１および水流量調整弁８ｂにそれぞれ着脱可能に接続されている。
【００４４】
第２管５ｂ２は、第１方向ＤＲ１に沿って開口ＯＰと水流量調整弁８ｂとの間に配置された部分を有している。第２管５ｂ２は、開口ＯＰから筐体１０内を見たときに、水流量調整弁８ｂと重なるように配置されている。つまり、第２管５ｂ２は、開口ＯＰから筐体１０内を見たときに、開口ＯＰと水流量調整弁８ｂとの間で水流量調整弁８ｂに重なるように配置されている。
【００４５】
配管５ｃは、配管５ｂとバイパス流量調整弁８ａとに接続されている。配管５ｃは、配管５ｂを介して一次熱交換部４１の一次熱交換器４ｃに接続されている。配管５ｃは、第１管５ｃ１と、第２管５ｃ２とを有している。第１管５ｃ１は、熱交換ユニット４０に配管５ｂの第１管５ｂ１を介して固定されている。具体的には、第１管５ｃ１は、配管５ｂの第１管５ｂ１に固定されている。第２管５ｃ２は、第１管５ｃ１およびバイパス流量調整弁８ａにそれぞれ着脱可能に接続されている。
【００４６】
第２管５ｃ２は、第１方向ＤＲ１に沿って開口ＯＰとバイパス流量調整弁８ａとの間に配置された部分を有している。第２管５ｃ２は、開口ＯＰから筐体１０内を見たときにバイパス流量調整弁８ａと重なるように配置されている。つまり、第２管５ｃ２は、開口ＯＰから筐体１０内を見たときに、開口ＯＰとバイパス流量調整弁８ａとの間でバイパス流量調整弁８ａと重なるように配置されている。
【００４７】
配管５ｄは、一次熱交換部４１の一次熱交換器４ｃと二次熱交換部４２の二次熱交換器４ｄとに接続されている。
【００４８】
配管５ａの第２管５ａ２における第１管５ａ１との接続側の端部は、第２方向ＤＲ２に沿って延びている。配管５ａの第２管５ａ２におけるバイパス流量調整弁８ａとの接続側の端部は、バイパス流量調整弁８ａに対して第１方向ＤＲ１に沿って延びている。したがって、第２管５ａ２は、筐体１０内から開口ＯＰに向けてバイパス流量調整弁８ａから取り外し可能に構成されている。
【００４９】
配管５ｂの第２管５ｂ２における第１管５ｂ１との接続側の端部は、第２方向ＤＲ２に沿って延びている。配管５ｂの第２管５ｂ２における水流量調整弁８ｂとの接続側の端部は、水流量調整弁８ｂに対して第１方向ＤＲ１に沿って延びている。したがって、第２管５ｂ２は、筐体１０内から開口ＯＰに向けて水流量調整弁８ｂから取り外し可能に構成されている。
【００５０】
配管５ｃの第２管５ｃ２における第１管５ｃ１との接続側の端部は、第２方向ＤＲ２に沿って延びている。配管５ｃの第２管５ｃ２におけるバイパス流量調整弁８ａとの接続側の端部は、バイパス流量調整弁８ａに対して第１方向ＤＲ１に沿って延びている。したがって、第２管５ｃ２は、筐体１０内から開口ＯＰに向けてバイパス流量調整弁８ａから取り外し可能に構成されている。
【００５１】
実施形態に係る温水暖房装置は、クイックファスナＣＦを備えている。クイックファスナＣＦは、第１のクイックファスナＣＦ１と、第２のクイックファスナＣＦ２とを含んでいる。第１のクイックファスナＣＦ１は、配管５ａの第２管５ａ２と第１管５ａ１とを互いに着脱可能に接続している。第２のクイックファスナＣＦ２は、配管５ａの第２管５ａ２とバイパス流量調整弁８ａとを着脱可能に接続している。
【００５２】
第１のクイックファスナＣＦ１は、配管５ｂの第２管５ｂ２と第１管５ｂ１とを互いに着脱可能に接続している。第２のクイックファスナＣＦ２は、配管５ｂの第２管５ｂ２と水流量調整弁８ｂとを着脱可能に接続している。
【００５３】
第１のクイックファスナＣＦ１は、配管５ｃの第２管５ｃ２と第１管５ｃ１とを互いに着脱可能に接続している。第２のクイックファスナＣＦ２は、配管５ｃの第２管５ｃ２とバイパス流量調整弁８ａとを着脱可能に接続している。
【００５４】
図５および図６を参照して、クイックファスナＣＦの構成について説明する。ここでは、第１のクイックファスナＣＦ１により配管５ｃの第１管５ｃ１と第２管５ｃ２とが着脱可能に接続されている場合について説明する。なお、配管５ａおよび配管５ｂについても配管５ｃと同様に、第１管５ａ１、５ｂ１と第２管５ａ２、５ｂ２とがそれぞれクイックファスナＣＦにより着脱可能に接続されている。また、配管５ａ、５ｂ、５ｃの各々は、このクイックファスナＣＦにより水量調整装置８に着脱可能に接続されている。
【００５５】
図５および図６に示されるように、第１のクイックファスナＣＦ１は、中央部ＣＰと、中央部ＣＰの一方端側に接続された第１端部Ｅ１と、中央部ＣＰの他方端側に接続された第２端部Ｅ２とを有している。
【００５６】
第１端部Ｅ１は、中央部ＣＰと反対側の先端に向けて第２端部Ｅ２から離れるように構成されている。第１端部Ｅ１は、中央部ＣＰと先端との間に設けられた湾曲部Ｃ１を有している。第１端部Ｅ１には貫通孔Ｈ１が設けられている。貫通孔Ｈ１は、第１端部Ｅ１の長手方向に沿って延びている。
【００５７】
第２端部Ｅ２は、中央部ＣＰと反対側の先端に向けて第１端部Ｅ１から離れるように構成されている。第２端部Ｅ２は、中央部ＣＰと先端との間に設けられた湾曲部Ｃ２を有している。第２端部Ｅ２には貫通孔Ｈ２が設けられている。貫通孔Ｈ２は、第２端部Ｅ２の長手方向に沿って延びている。
【００５８】
第１のクイックファスナＣＦ１は、第１端部Ｅ１と第２端部Ｅ２との間の距離が変動するように弾性変形する。貫通孔Ｈ１および貫通孔Ｈ２に配管５ｃの第１管５ｃ１および第２管５ｃ２の拡径部が挿入された状態で、湾曲部Ｃ１と湾曲部Ｃ２との間に第１管５ｃ１および第２管５ｃ２の各々が挟まれている。これにより、第１のクイックファスナＣＦ１は、配管５ｃの第１管５ｃ１と第２管５ｃ２とを互いに取り付ける。また、第１端部Ｅ１と第２端部Ｅ２との間の距離が拡げられることにより、クイックファスナＣＦが第１管５ｃ１および第２管５ｃ２から取り外される。このようにして、クイックファスナＣＦは、第１管５ｃ１と第２管５ｃ２とを互いに着脱可能に接続している。
【００５９】
図３および図７に示されるように、配管５ａの第２管５ａ２が第１管５ａ１から取り外されるとともにバイパス流量調整弁８ａから取り外される。これにより、バイパス流量調整弁８ａが第２管５ａ２によって覆われない。そのため、第２管５ａ２はバイパス流量調整弁８ａの着脱を妨げない。配管５ｂの第２管５ｂ２が第１管５ｂ１から取り外されるとともに水流量調整弁８ｂから取り外される。これにより、水流量調整弁８ｂが第２管５ｂ２によって覆われない。そのため、第２管５ｂ２は水流量調整弁８ｂの着脱を妨げない。配管５ｃの第２管５ｃ２が第１管５ｃ１から取り外されるとともにバイパス流量調整弁８ａから取り外される。これにより、バイパス流量調整弁８ａが第２管５ｃ２によって覆われない。つまり、第２管５ｃ２はバイパス流量調整弁８ａの着脱を妨げない。
【００６０】
次に、本実施の形態に係る温水暖房装置の作用効果について説明する。
本実施の形態に係る温水暖房装置によれば、配管５ａの第２管５ａ２は、第１管５ａ１およびバイパス流量調整弁８ａにそれぞれ着脱可能に接続されており、開口ＯＰから筐体１０内を見たときに、バイパス流量調整弁８ａと重なるように配置されている。このため、バイパス流量調整弁８ａの交換などのメンテナンス時に配管５ａの第１管５ａ１およびバイパス流量調整弁８ａから第２管５ａ２が取り外されることにより、第２管５ａ２はメンテナンスの邪魔とならない。したがって、バイパス流量調整弁８ａの交換などのメンテナンスが容易となる。つまり、熱交換ユニット４０に固定された配管５ａ全体を取り外す場合に比べて第２管５ａ２が取り外されるだけであるためメンテナンスが容易となる。また、熱交換ユニット４０に配管５ａ全体がろう付けなどで固定されている場合に比べて第２管５ａ２が着脱可能であるためメンテナンスが容易となる。さらに、第２管５ａ２が取り外されるため、メンテナンス時に配管５ａが曲げられるなどの不具合を抑制することができる。
【００６１】
また、配管５ｂの第２管５ｂ２は、第１管５ｂ１および水流量調整弁８ｂにそれぞれ着脱可能に接続されており、開口ＯＰから筐体１０内を見たときに、水流量調整弁８ｂと重なるように配置されている。このため、水流量調整弁８ｂの交換などのメンテナンス時に配管５ｂの第１管５ｂ１および水流量調整弁８ｂから第２管５ａ２が取り外されることにより、第２管５ａ２はメンテナンスの邪魔とならない。したがって、水流量調整弁８ｂの交換などのメンテナンスが容易となる。
【００６２】
また、配管５ｃの第２管５ｃ２は、第１管５ｃ１およびバイパス流量調整弁８ａにそれぞれ着脱可能に接続されており、開口ＯＰから筐体１０内を見たときに、バイパス流量調整弁８ａと重なるように配置されている。このため、バイパス流量調整弁８ａの交換などのメンテナンス時に配管５ｃの第１管５ｃ１およびバイパス流量調整弁８ａから第２管５ｃ２が取り外されることにより、第２管５ｃ２はメンテナンスの邪魔とならない。したがって、バイパス流量調整弁８ａの交換などのメンテナンスが容易となる。
【００６３】
一般的な幅狭タイプの温水暖房装置では、熱交換ユニットに接続された配管は温水暖房装置の奥行方向に配置されるため、メンテナンス時に当該配管が特に邪魔になり易い。これに対して、本実施の形態に係る温水暖房装置によれば、第２管５ａ２、５ｂ２、５ｃ２が水量調整装置８から取り外されるため、幅狭タイプの温水暖房装置であっても、第２管５ａ２、５ｂ２、５ｃ２は水量調整装置８の交換などのメンテナンスの邪魔とならない。したがって、本実施の形態に係る温水暖房装置は、幅狭タイプの温水暖房装置に特に適している。
【００６４】
本実施の形態に係る温水暖房装置において、被制御ユニットは、水量調整装置８である。このため、水量調整装置８のメンテナンスが容易となる。
【００６５】
本実施の形態に係る温水暖房装置において、第１のクイックファスナＣＦ１は配管５ａの第２管５ａ２と第１管５ａ１とを互いに着脱可能に接続し、第２のクイックファスナＣＦ２は第２管５ａ２とバイパス流量調整弁８ａとを着脱可能に接続している。このため、第１のクイックファスナＣＦ１によって第２管５ａ２と第１管５ａ１との着脱が容易となり、第２のクイックファスナＣＦ２によって第２管５ａ２とバイパス流量調整弁８ａとの着脱が容易となる。また、クイックファスナＣＦはドライバーなどの工具を用いずに配管を接続することが可能であるため、着脱が容易である。
【００６６】
また、第１のクイックファスナＣＦ１は、配管５ｂの第２管５ｂ２と第１管５ｂ１とを互いに着脱可能に接続し、第２のクイックファスナＣＦ２は第２管５ｂ２と水流量調整弁８ｂとを着脱可能に接続している。このため、第１のクイックファスナＣＦ１によって第２管５ｂ２と第１管５ｂ１との着脱が容易となり、第２のクイックファスナＣＦ２によって第２管５ｂ２と水流量調整弁８ｂとの着脱が容易となる。
【００６７】
また、第１のクイックファスナＣＦ１は、配管５ｃの第２管５ｃ２と第１管５ｃ１とを互いに着脱可能に接続し、第２のクイックファスナＣＦ２は第２管５ｃ２およびバイパス流量調整弁８ａの各々とを着脱可能に接続している。このため、第１のクイックファスナＣＦ１によって第２管５ｃ２と第１管５ｃ１との着脱が容易となり、第２のクイックファスナＣＦ２によって第２管５ｃ２とバイパス流量調整弁８ａとの着脱が容易となる。
【００６８】
本実施の形態に係る温水暖房装置において、配管５ａの第２管５ａ２は、筐体１０内から開口ＯＰに向けてバイパス流量調整弁８ａから取り外し可能に構成されている。このため、第２管５ａ２をバイパス流量調整弁８ａから取り外すことが容易となる。
【００６９】
また、配管５ｂの第２管５ｂ２は、筐体１０内から開口ＯＰに向けて水流量調整弁８ｂから取り外し可能に構成されている。このため、第２管５ｂ２を水流量調整弁８ｂから取り外すことが容易となる。
【００７０】
また、配管５ｃの第２管５ｃ２は、筐体１０内から開口ＯＰに向けてバイパス流量調整弁８ａから取り外し可能に構成されている。このため、第２管５ｃ２をバイパス流量調整弁８ａから取り外すことが容易となる。
【００７１】
（実施の形態２）
本発明の実施の形態２では、特に説明しない限り、上記の本発明の実施の形態１と同様の構成を備えているため、同一の要素については同一の符号を付し、その説明を繰り返さない。
【００７２】
再び図３を参照して、本実施の形態に係る温水暖房装置の構成について説明する。図３に示されるように、被制御ユニットはファン７である。ファン７は、熱交換ユニット４０に送風する。また、配管５ａ、５ｂ、５ｃの各々は、開口ＯＰから筐体１０内を見たときに熱交換ユニット４０に重なるように配置されておりかつファン７に重ならないように配置されている。したがって、配管５ａ、５ｂ、５ｃは、第１方向ＤＲ１に沿ってファン７が着脱されるときの着脱方向でのファン７の投影面上に配置されていない。
【００７３】
具体的には、配管５ａ、５ｂ、５ｃの各々は第１方向ＤＲ１に沿って開口ＯＰと熱交換ユニット４０との間に配置された部分を有している。配管５ａ、５ｂ、５ｃの各々は、第１方向ＤＲ１に沿ってファン７に重ならないように配置されている。配管５ａ、５ｂ、５ｃの各々は、開口ＯＰから筐体１０内を見たときに、第２方向ＤＲ２および第３方向ＤＲ３の各々に沿ってファン７と隙間をあけて配置されている。
【００７４】
次に、本実施の形態に係る温水暖房装置の作用効果について説明する。
本実施の形態に係る温水暖房装置によれば、配管５ａ、５ｂ、５ｃは、開口ＯＰから筐体１０内を見たときに、ファン７と重ならないように配置されている。このため、ファン７の交換などのメンテナンス時に、配管５ａ、５ｂ、５ｃはメンテナンスの邪魔とならない。したがって、ファン７の交換などのメンテナンスが容易となる。
【００７５】
本実施の形態に係る温水暖房装置において、被制御ユニットはファン７である。このため、ファン７のメンテナンスが容易となる。
【００７６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７７】
１  シスターン、２  補水回路、２ａ，３ａ，３ｂ，３ｃ，３ｄ，３ｅ，３ｆ，５ａ，５ｂ，５ｃ，５ｄ，６  配管、３  循環回路、４  燃焼ユニット、４ａ，４ｃ  一次熱交換器、４ｂ，４ｄ  二次熱交換器、４ｅ  バーナ、５  給湯回路、５ａ１，５ｂ１，５ｃ１  第１管、５ａ２，５ｂ２，５ｃ２  第２管、６ａ  低温暖房端末、６ｂ  高温暖房端末、７  ファン、８  水量調整装置、８ａ  バイパス流量調整弁、８ｂ  水流量調整弁、１０  筐体、１１  前面蓋、４０  熱交換ユニット、４１  一次熱交換部、４２  二次熱交換部、ＣＦ  クイックファスナ、ＯＰ  開口。
【図１】
2019143860.tif 000003
【図２】
2019143860.tif 000004
【図３】
2019143860.tif 000005
【図４】
2019143860.tif 000006
【図５】
2019143860.tif 000007
【図６】
2019143860.tif 000008
【図７】
2019143860.tif 000009